(57)【要約】【課題】利便性を向上できる画像表示装置を提供する。【解決手段】画像表示装置１は、表示部１１、記憶部５０、入力部１２及び制御部６０を備える。制御部６０は、第１ウェブページ情報に基づいて、表示部１１に第１ウェブページを表示させるとともに、第１ウェブページ情報を記憶部５０に記憶させる。制御部６０は、第２ウェブページ情報に基づいて、表示部１１に第２ウェブページを表示させる。第２ウェブページの表示中に入力部１２が第１入力または第２入力を受付けると、第１ウェブページが表示される。第１入力を受付けた場合、制御部６０は、第１ウェブページ情報の内容が更新されているか否かを判定する。内容が更新されている場合、制御部６０は、内容の更新された第１ウェブページ情報に基づいて表示部１１を制御する。第２入力を受付けた場合、制御部６０は、記憶部５０に記憶された第１ウェブページ情報に基づいて表示部１１を制御する。【選択図】図１
2020076799.tif 000002
【特許請求の範囲】
【請求項１】
表示部と、記憶部と、入力部と、制御部とを備え、
前記制御部は、第１ウェブページを表示するように、第１ウェブページ情報に基づいて前記表示部を制御するとともに、前記第１ウェブページ情報を記憶するように前記記憶部を制御し、
前記表示部が前記第１ウェブページを表示した後に、前記制御部は、前記第１ウェブページに代えて、前記第１ウェブページと異なる第２ウェブページを表示するように、第２ウェブページ情報に基づいて前記表示部を制御し、
前記入力部が、前記第２ウェブページの表示中に予め定められた第１入力または第２入力を受付けたことに応じて、前記制御部は、前記第１ウェブページを表示するように前記表示部を制御し、
前記第１入力に応じて前記第１ウェブページを表示する制御を実行する場合、前記制御部は、
前記第１ウェブページ情報の内容が更新されているか否かを判定し、
前記第１ウェブページ情報の内容が更新されていると判定した場合、内容の更新された前記第１ウェブページ情報に基づいて前記表示部を制御し、
前記第２入力に応じて前記第１ウェブページを表示する制御を実行する場合、前記制御部は、前記第１ウェブページ情報の内容の更新の有無に依存することなく、前記記憶部に記憶された前記第１ウェブページ情報に基づいて前記表示部を制御し、
前記第１ウェブページ情報は、前記表示部に前記第１ウェブページを表示するための情報であり、
前記第２ウェブページ情報は、前記表示部に前記第２ウェブページを表示するための情報である、画像表示装置。
【請求項２】
前記第１ウェブページ情報を受信する通信部を更に備え、
イベントが発生するたびに前記第１ウェブページ情報を更新するウェブサーバーから、前記第１ウェブページ情報を受信する、請求項１に記載の画像表示装置。
【請求項３】
前記第１ウェブページ情報は、交通情報、気象情報、駐車場情報、スポーツ情報、及びトイレの使用情報のうちの少なくとも１つの情報を含む、請求項２に記載の画像表示装置。
【請求項４】
前記入力部は、前記表示部の表示面に対するタッチを検出するタッチセンサーを含み、
前記第１入力、及び前記第２入力の各々は前記表示面がタッチされることである、請求項１から請求項３のいずれか１項に記載の画像表示装置。
【請求項５】
第１アイコンと、前記第１アイコンとは異なる第２アイコンとが前記表示部に表示されるように、前記制御部が前記表示部を制御し、
前記第１入力は、前記第１アイコンがタップされることであり、
前記第２入力は、前記第２アイコンがタップされることである、請求項４に記載の画像表示装置。
【請求項６】
アイコンが前記表示部に表示されるように、前記制御部が前記表示部を制御し、
前記第１入力は、前記アイコンがダブルタップされること、及び前記アイコンがシングルタップされることのうちの一方であり、
前記第２入力は、前記アイコンが前記ダブルタップされること、及び前記アイコンが前記シングルタップされることのうちの他方である、請求項４に記載の画像表示装置。
【請求項７】
アイコンが前記表示部に表示されるように、前記制御部が前記表示部を制御し、
前記第１入力は、前記アイコンがロングタップされること、及び前記アイコンがショートタップされることの一方であり、
前記第２入力は、前記アイコンが前記ロングタップされること、及び前記アイコンが前記ショートタップされることの他方であり、
前記ロングタップのタップ時間は所定のタップ時間以上であり、前記ショートタップのタップ時間は前記所定のタップ時間よりも短い、請求項４に記載の画像表示装置。
【請求項８】
前記第１入力は、前記表示面を第１フリックされること、及び前記表示面を第２フリックされることの一方であり、
前記第２入力は、前記表示面を前記第１フリックされること、及び前記表示面を前記第２フリックされることの他方であり、
前記第１フリックされる際のフリック速度は所定のフリック速度以上であり、前記第２フリックされる際のフリック速度は前記所定のフリック速度よりも遅い、請求項４に記載の画像表示装置。
【請求項９】
前記第１入力は、前記表示面を第１スワイプされること、及び第２スワイプされることの一方であり、
前記第２入力は、前記表示面を前記第１スワイプされること、及び前記第２スワイプされることの他方であり、
前記第１スワイプは、前記表示面に１点でタッチされた状態でスワイプされることであり、
前記第２スワイプは、前記表示面に複数の点でタッチされた状態でスワイプされることである、請求項４に記載の画像表示装置。
【請求項１０】
前記入力部は、加速度を検知する加速度センサーを含み、
前記第１入力は、前記加速度センサーが第１方向に沿った加速度を検出することであり、
前記第２入力は、前記加速度センサーが前記第１方向とは異なる第２方向に沿った加速度を検出することである、請求項１から請求項３のいずれか１項に記載の画像表示装置。
【請求項１１】
前記入力部は、第１音声の入力、及び前記第１音声とは異なる第２音声の音声入力を受付けるマイクロフォンを含み、
前記第１入力は、前記第１音声を前記マイクロフォンに入力することであり、
前記第２入力は、前記第２音声を前記マイクロフォンに入力することである、請求項１から請求項３のいずれか１項に記載の画像表示装置。
【発明の詳細な説明】
【技術分野】
【０００１】
本発明は、画像表示装置に関する。
【背景技術】
【０００２】
Ｗｅｂブラウザーは、ウェブページ情報に基づいて、ウェブページを液晶ディスプレー等の表示面に表示させる。ウェブページ情報は、情報提供元から提供される。ウェブページ情報は、ウェブページを表示するために必要な情報を示す。Ｗｅｂブラウザーは、ユーザーの指示にしたがって複数のウェブページの中からユーザーが所望するウェブページを表示面に表示させる。
【０００３】
特許文献１には、Ｗｅｂブラウザーが搭載された複写機が記載されている。特許文献１に記載の複写機は、表示部と、コントローラー部とを備える。コントローラー部は、Ｗｅｂブラウザー機能部として機能する。Ｗｅｂブラウザー機能部は、Ｗｅｂコンテンツ取得部と、表示処理部とを含む。Ｗｅｂコンテンツ取得部は、Ｗｅｂサーバーからコンテンツを取得する。詳しくは、Ｗｅｂコンテンツ取得部は、ユーザーが指定したアクセス先のＷｅｂサーバーからＷｅｂコンテンツの取得を行う。表示処理部は、Ｗｅｂページ描画処理部により描画されたＷｅｂページを表示部に表示させる。
【０００４】
また、特許文献１に記載のＷｅｂブラウザーは、Ｗｅｂページ表示領域と、メニューバー表示領域とを含む。Ｗｅｂページ表示領域には、Ｗｅｂページが表示される。メニューバー表示領域には、「戻るボタン」、及び「進むボタン」が表示される。「戻るボタン」は、表示中のＷｅｂページよりも以前に表示されたＷｅｂページへの遷移を指示する。「進むボタン」は、過去に表示されたＷｅｂページが再度表示されている場合に、過去に表示されたＷｅｂページ以降に表示されたＷｅｂページへの遷移をブラウザーに指示する。
【０００５】
ウェブページの中には、イベントが発生するたびに情報が更新されるウェブページがある。イベントは、例えば、情報が更新されてから所定時間が経過した際に発生する。イベントが発生するたびに情報が更新されるウェブページは、例えば、交通情報、気象情報、駐車場情報、スポーツ情報、及びトイレの使用情報に関するウェブページである。
【０００６】
ユーザーは、イベントが発生するたびに情報が更新されるウェブページであっても、情報が更新される前のウェブページを閲覧したい場合がある。例えば、交通状況を示すウェブページを表示させて、行楽地の情報を示すウェブページを表示させた後、交通状況の変化を知るため、更新後のウェブページに加えて、更新前のウェブページを表示させたいことがある。
【先行技術文献】
【特許文献】
【０００７】
【特許文献１】特開２００８−１８６０６５号公報
【発明の概要】
【発明が解決しようとする課題】
【０００８】
特許文献１に記載の複写機では、Ｗｅｂコンテンツ取得部は、ユーザーが指定したアクセス先のＷｅｂサーバーからＷｅｂコンテンツの取得を行う。したがって、特許文献１に記載の複写機では、更新後のウェブページが表示され、更新前のウェブページは表示できない。そのため、ユーザーは、更新前のウェブページを再度閲覧することができず、ユーザーの利便性が不十分である。
【０００９】
本発明は上記課題に鑑みてなされたものであり、ユーザーの利便性を向上できる画像表示装置を提供することを目的とする。
【課題を解決するための手段】
【００１０】
本発明に係る画像表示装置は、表示部と、記憶部と、入力部と、制御部とを備える。前記制御部は、第１ウェブページを表示するように、第１ウェブページ情報に基づいて前記表示部を制御するとともに、前記第１ウェブページ情報を記憶するように前記記憶部を制御する。前記表示部が前記第１ウェブページを表示した後に、前記制御部は、前記第１ウェブページに代えて、前記第１ウェブページと異なる第２ウェブページを表示するように、第２ウェブページ情報に基づいて前記表示部を制御する。
【００１１】
前記入力部が、前記第２ウェブページの表示中に予め定められた第１入力または第２入力を受付けたことに応じて、前記制御部は、前記第１ウェブページを表示するように前記表示部を制御する。
【００１２】
前記第１入力に応じて前記第１ウェブページを表示する制御を実行する場合、前記制御部は、前記第１ウェブページ情報の内容が更新されているか否かを判定する。前記制御部は、前記第１ウェブページ情報の内容が更新されていると判定した場合、内容の更新された前記第１ウェブページ情報に基づいて前記表示部を制御する。
【００１３】
前記第２入力に応じて前記第１ウェブページを表示する制御を実行する場合、前記制御部は、前記第１ウェブページ情報の内容の更新の有無に依存することなく、前記記憶部に記憶された前記第１ウェブページ情報に基づいて前記表示部を制御する。
【００１４】
前記第１ウェブページ情報は、前記表示部に前記第１ウェブページを表示するための情報である。前記第２ウェブページ情報は、前記表示部に前記第２ウェブページを表示するための情報である。
【発明の効果】
【００１５】
本発明の画像表示装置によれば、ユーザーの利便性を向上できる。
【図面の簡単な説明】
【００１６】
【図１】実施形態に係る画像表示装置を示すブロック図である。
【図２】実施形態に係る画像表示装置が第１ウェブページを表示している状態を示す図である。
【図３】実施形態に係る画像表示装置が第２ウェブページを表示している状態を示す図である。
【図４】実施形態に係る画像表示装置が更新後の第１ウェブページを表示している状態を示す図である。
【図５】実施形態に係る画像表示装置が更新前の第１ウェブページを表示している状態を示す図である。
【図６】実施形態に係る画像表示装置の動作を示すフローチャートである。
【図７】実施形態に係る画像表示装置の動作を示すフローチャートである。
【図８】他の実施形態に係る画像表示装置が第１ウェブページを表示している状態を示す図である。
【発明を実施するための形態】
【００１７】
以下、本発明の実施形態について、図面を参照しながら説明する。なお、図中、同一または相当部分については同一の参照符号を付して説明を繰り返さない。
【００１８】
図１を参照して本発明に係る画像表示装置１の実施形態を説明する。図１は、本発明の実施形態に係る画像表示装置１を示すブロック図である。画像表示装置１は、例えば、タブレット型コンピューターである。
【００１９】
図１に示すように、画像表示装置１は、タッチパネル１０と、加速度センサー２０と、マイクロフォン３０と、通信部４０と、記憶部５０と、制御部６０とを備える。
【００２０】
タッチパネル１０は、ユーザーによる操作（入力）を受付ける。また、タッチパネル１０は、各種の画面を表示する。本実施形態において、タッチパネル１０は、ディスプレー１１、及びタッチセンサー１２を有する。ディスプレー１１は、表示部の一例である。タッチセンサー１２は、入力部の一例である。
【００２１】
ディスプレー１１は、各種の画面を表示する。本実施形態において、ディスプレー１１は、ウェブページを表示する。ウェブページは、第１ウェブページ及び第２ウェブページを含む。ディスプレー１１は、例えば、液晶ディスプレー、または有機ＥＬ（ｅｌｅｃｔｒｏｌｕｍｉｎｅｓｃｅｎｃｅ）ディスプレーである。ディスプレー１１は、画像を表示する表示面を有する。
【００２２】
タッチセンサー１２は、ユーザーによる入力を受付ける。入力は、第１入力及び第２入力を含む。タッチセンサー１２が受付ける入力は、ディスプレー１１の表示面に対する被検出物のタッチを示す。
【００２３】
タッチセンサー１２は、ディスプレー１１の表示面に対する被検出物のタッチに基づくタッチ位置を検出する。タッチセンサー１２は、ディスプレー１１の表示面に重畳するように配置されている。被検出物は、例えば、画像表示装置１を操作するユーザーの指、またはタッチペンである。タッチセンサー１２が検出したタッチ位置を示す信号は、制御部６０に送信される。
【００２４】
加速度センサー２０は、画像表示装置１に加わる加速度を検出する。具体的には、加速度センサー２０は、上下方向に加わる加速度を検出するセンサー、左右方向に加わる加速度を検出するセンサー、及び、前後方向に加わる加速度を検出するセンサーを含む。加速度センサー２０が検出した加速度情報は、制御部６０に送信される。加速度センサー２０は、入力部の一例である。
【００２５】
マイクロフォン３０は、音声入力を受付ける。本実施形態において、マイクロフォン３０は、第１音声の入力、及び第１音声とは異なる第２音声の音声入力を受付ける。第１音声は、例えば、「更新」、「更新後」、及び「新しいの」である。また、第２音声は、例えば、「キャッシュ」、「更新前」、及び「古いの」である。マイクロフォン３０は、気圧変動を感知して、それを電磁誘導、静電容量変化、または圧電等によって電気信号に変換する音響電気変換器である。電気信号は音声を示す。マイクロフォン３０に入力された音声は、制御部６０に送信される。マイクロフォン３０は、入力部の一例である。
【００２６】
通信部４０は、ネットワークＮを介して交通情報サーバーＳ１との間で通信する。また、通信部４０は、ネットワークＮを介してニュースサーバーＳ２との間で通信する。通信部４０は、有線通信または無線通信によって通信する。
【００２７】
有線通信の方式は、特に限定されない。有線通信の方式は、例えば、ＬＡＮ（Ｌｏｃａｌ  Ａｒｅａ  Ｎｅｔｗｏｒｋ）、及びＵＳＢ（Ｕｎｉｖｅｒｓａｌ  Ｓｅｒｉａｌ  Ｂｕｓ）のようなケーブルを用いる通信方式である。
【００２８】
無線通信の方式は、特に限定されない。無線通信の方式は、例えば、無線ＬＡＮ、及びＢｌｕｅｔｏｏｔｈ（登録商標）のような無線通信方式である。
【００２９】
交通情報サーバーＳ１は、第１ウェブページ情報を記憶するウェブサーバーである。第１ウェブページ情報は、交通情報を含む。交通情報サーバーＳ１は、イベントの発生に応じて、第１ウェブページ情報を更新する。第１ウェブページ情報は、イベントが発生するたびに更新される動的な情報である。
【００３０】
交通情報サーバーＳ１は、画像表示装置１からの要求に応じて、第１ウェブページ情報を画像表示装置１に送信する。
【００３１】
イベントの発生は、例えば、前回の更新から一定の時間が経過することである。一定時間とは、例えば、１５分である。交通情報は、例えば、交通事故の発生を示す情報、交通状況を示す情報、交通規制を示す情報、及び道路工事を示す情報を含む。
【００３２】
ニュースサーバーＳ２は、第２ウェブページ情報を記憶する。第２ウェブページ情報は、ニュースを含む。第２ウェブページ情報は、静的な情報である。ニュースサーバーＳ２は、画像表示装置１からの要求に応じて、第２ウェブページ情報を画像表示装置１に送信する。
【００３３】
記憶部５０は、例えば、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）と、フラッシュメモリーとを備える。記憶部５０は、各種データを記憶する。本実施形態において、記憶部５０は、制御プログラムを記憶する。制御プログラムはウェブブラウザーを含む。
【００３４】
制御部６０は、画像表示装置１の各部の動作を制御する。制御部６０は、プロセッサーを有する。プロセッサーは、記憶部５０に記憶された制御プログラムを実行することによって、数値計算、情報処理、及び機器制御のような処理をする。プロセッサーは、例えば、ＣＰＵ（Ｃｅｎｔｒａｌ  Ｐｒｏｃｅｓｓｉｎｇ  Ｕｎｉｔ）またはＭＰＵ（Ｍｉｃｒｏ  Ｐｒｏｃｅｓｓｉｎｇ  Ｕｎｉｔ）である。
【００３５】
制御部６０は、通信部４０が受信した第１ウェブページ情報に基づいて第１ウェブページを表示するようにディスプレー１１を制御するとともに、第１ウェブページ情報を記憶するように、記憶部５０を制御する。
【００３６】
制御部６０は、第１ウェブページをディスプレー１１が表示した後に、第１ウェブページに代えて、第２ウェブページを表示するように、第２ウェブページ情報に基づいてディスプレー１１を制御する。
【００３７】
制御部６０は、タッチセンサー１２から送信されるタッチ位置を示す信号に基づいて、ユーザーによる操作の種類を判定する。操作の種類は、例えば、タップ、フリック、及びスワイプを含む。
【００３８】
制御部６０は、ユーザーによる操作を取得することにより、タッチセンサー１２が受付けた入力が第１入力及び第２入力のいずれであるかを判定する。
【００３９】
制御部６０は、タッチセンサー１２が第１入力を受付けたと判定した場合、第１ウェブページ情報の内容が更新されているか否かを判定する。制御部６０は、第１ウェブページ情報の内容が更新されていると判定した場合、更新された第１ウェブページ情報に基づいて第１ウェブページを表示するように、ディスプレー１１を制御する。以下、更新された第１ウェブページ情報に基づいて、ディスプレー１１に表示される第１ウェブページを「更新後の第１ウェブページ」と記載する場合がある。
【００４０】
制御部６０は、タッチセンサー１２が第２入力を受付けたと判定した場合、第１ウェブページ情報の内容の更新の有無に依存することなく、記憶部５０に記憶された第１ウェブページ情報に基づいて第１ウェブページを表示するように、ディスプレー１１を制御する。換言すると、制御部６０は、更新される前の第１ウェブページ情報に基づいて第１ウェブページを表示するように、ディスプレー１１を制御する。以下、記憶部５０に記憶された第１ウェブページ情報に基づいて、ディスプレー１１に表示される第１ウェブページを「更新前の第１ウェブページ」と記載する場合がある。
【００４１】
制御部６０は、加速度センサー２０から受信した加速度情報に基づいて、画像表示装置１の揺れの方向を判定する。制御部６０は、画像表示装置１の揺れの方向が、第１方向及び第２方向のいずれかである場合、画像表示装置１の揺れの方向に基づいて、加速度センサー２０が受付けた入力が第１入力及び第２入力のいずれであるかを判定する。
【００４２】
制御部６０は、マイクロフォン３０から受信した音声を解析して、受信した音声が第１音声及び第２音声のいずれかであるかを判定する。制御部６０は、音声が第１音声及び第２音声のいずれかである場合、マイクロフォン３０が受付けた入力が第１入力及び第２入力のいずれであるかを判定する。
【００４３】
次に、図１から図７を参照して、実施形態１に係る画像表示装置１がウェブページを表示する際の動作について説明する。まず、図２から図５を参照して、ディスプレー１１に表示される第１ウェブページ、及び第２ウェブページについて説明する。
【００４４】
図２は、画像表示装置１が第１ウェブページＧ１を表示している状態を示す図である。図２に示すように、ディスプレー１１は、第１ウェブページＧ１と、時刻欄Ｔとを表示する。第１ウェブページＧ１は、交通状況を示すウェブページである。第１ウェブページＧ１は、メニューバーＧ１１と、更新時刻欄Ｇ１２と、凡例欄Ｇ１３と、交通状況欄Ｇ１４とを含む。
【００４５】
メニューバーＧ１１は、ユーザーの指示を受付ける各種ボタンを含む。具体的には、メニューバーＧ１１は、第１ボタンＢ１と、第２ボタンＢ２と、進むボタンＢ３とを含む。第１ボタンＢ１と、第２ボタンＢ２と、進むボタンＢ３とは、アイコンの一例である。メニューバーＧ１１は、アドレス欄Ａを更に含む。
【００４６】
第１ボタンＢ１は、ユーザーによってタップされる。本実施形態において、タッチセンサー１２は、第１ボタンＢ１がタップされると、第１ボタンＢ１がタップされたことを第１入力として受付ける。第１ボタンＢ１は、第１アイコンの一例である。タップは、ディスプレー１１の表面を突く操作である。
【００４７】
第２ボタンＢ２は、ユーザーによってタップされる。本実施形態において、タッチセンサー１２は、第２ボタンＢ２がタップされると、第２ボタンＢ２がタップされたことを第２入力として受付ける。第２ボタンＢ２は、第２アイコンの一例である。
【００４８】
進むボタンＢ３は、過去に表示されたウェブページがディスプレー１１に表示されている場合に、過去に表示されたウェブページの以降に表示されたウェブページを表示するためのボタンである。
【００４９】
アドレス欄Ａは、第１ウェブページＧ１のＵＲＬ（Ｕｎｉｆｏｒｍ  Ｒｅｓｏｕｒｃｅ  Ｌｏｃａｔｏｒ）を示す。ディスプレー１１は、アドレス欄Ａに入力されたＵＲＬに対応するウェブページを表示する。
【００５０】
更新時刻欄Ｇ１２は、交通状況欄Ｇ１４の内容が更新された時刻を示す。換言すると、更新時刻欄Ｇ１２は、交通情報サーバーＳ１が第１ウェブページ情報を更新した時刻を示す。図２に示す更新時刻欄Ｇ１２は、交通状況欄Ｇ１４の内容が「９月２１日  ２０時４５分」に更新されたことを示す。
【００５１】
凡例欄Ｇ１３は、交通状況欄Ｇ１４に記載されている記号の意味と、色分けの意味とを示す。凡例欄Ｇ１３は、例えば、黒塗されている場所は通行止めが発生している場所であることを示す。
【００５２】
交通状況欄Ｇ１４は、交通状況を地図形式で示す。図２に示す交通状況欄Ｇ１４は、交通事故が発生し、通行止めが生じていることを示す。交通状況欄Ｇ１４は、更新時刻欄Ｇ１２に表示されている時刻に更新された交通状況を示す。
【００５３】
時刻欄Ｔは、現在の時刻を示す。図２に示す時刻欄Ｔは、現在の時刻が２０時４５分であることを示す。
【００５４】
図３は、画像表示装置１が第２ウェブページＧ２を表示している状態を示す図である。図３に示すように、ディスプレー１１は、第２ウェブページＧ２と、時刻欄Ｔとを表示する。第２ウェブページＧ２は、ニュースを示す。第２ウェブページＧ２は、メニューバーＧ２１と、ニュース表示欄Ｇ２２とを含む。メニューバーＧ２１は、ＵＲＬが異なることを除けば図２のメニューバーＧ１１と同じである。時刻欄Ｔは、表示している時刻が図２の時刻欄Ｔが表示している時刻よりも後の時刻であることを除けば同じである。
【００５５】
ニュース表示欄Ｇ２２は、ニュースを示す。図３に示すニュース表示欄Ｇ２２は、大阪で交通事故が発生したことを示す。
【００５６】
図４は、画像表示装置１が更新後の第１ウェブページＧ３を表示している状態を示す図である。図４に示すように、ディスプレー１１は、更新後の第１ウェブページＧ３と、時刻欄Ｔとを表示する。更新後の第１ウェブページＧ３は、交通情報サーバーＳ１によって更新された後の第１ウェブサーバー情報に基づいて表示される。
【００５７】
更新後の第１ウェブページＧ３は、メニューバーＧ３１と、更新時刻欄Ｇ３２と、凡例欄Ｇ３３と、交通状況欄Ｇ３４とを含む。
【００５８】
メニューバーＧ３１は、図２のメニューバーＧ１１と同じである。凡例欄Ｇ３３は、図２の凡例欄Ｇ１３と同じである。また、時刻欄Ｔは、表示している時刻が図３の時刻欄Ｔが表示している時刻よりも後の時刻であることを除けば、図３の時刻欄Ｔと同じである。
【００５９】
更新時刻欄Ｇ３２は、交通状況欄Ｇ３４の内容が更新された時刻を示す。図４に示す更新時刻欄Ｇ３２は、交通状況欄Ｇ３４の内容が「９月２１日  ２１時１５分」に更新されたことを示す。
【００６０】
交通状況欄Ｇ３４は、交通状況を地図形式で示す。図４に示す交通状況欄Ｇ３４は、交通事故の発生、通行止め、及び交通渋滞が生じていることを示す。交通状況欄Ｇ３４は、更新時刻欄Ｇ３２に記載の時刻に更新された交通状況を示す。
【００６１】
図５は、画像表示装置１が更新前の第１ウェブページＧ４を表示している状態を示す図である。図５に示すように、ディスプレー１１は、更新前の第１ウェブページＧ４と、時刻欄Ｔとを表示する。更新前の第１ウェブページＧ４は、記憶部５０の記憶している第１ウェブページ情報に基づいて表示される。更新前の第１ウェブページＧ４は、メニューバーＧ４１と、更新時刻欄Ｇ４２と、凡例欄Ｇ４３と、交通状況欄Ｇ４４とを含む。
【００６２】
メニューバーＧ４１、更新時刻欄Ｇ４２、凡例欄Ｇ４３、及び交通状況欄Ｇ４４の各々は、図２のメニューバーＧ１１、更新時刻欄Ｇ１２、凡例欄Ｇ１３、及び交通状況欄Ｇ１４の各々と同じである。また、時刻欄Ｔは、表示している時刻が図３の時刻欄Ｔが表示している時刻よりも後の時刻であることを除けば、図３の時刻欄Ｔと同じである。なお、図５に示す時刻Ｔは、図４に示す時刻Ｔと同じ時刻を表示している。
【００６３】
図６及び図７は、画像表示装置１の動作を示すフローチャートである。図６及び図７に示す画像表示装置１の動作は、ユーザーが画像表示装置１を起動することによって開始する。
【００６４】
ステップＳ１０１において、制御部６０が、ユーザーから第１ウェブページＧ１の表示指令を受付ける。具体的には、ユーザーが交通情報サーバーＳ１のＵＲＬをアドレス入力欄に入力する。動作はステップＳ１０２に進む。
【００６５】
ステップＳ１０２において、制御部６０が、第１ウェブページＧ１を表示するように、ディスプレー１１を制御する。詳しくは、制御部６０は、交通情報サーバーＳ１から第１ウェブページ情報を受信する。制御部６０は、受信した第１ウェブページ情報に基づいて、第１ウェブページＧ１を表示するように、ディスプレー１１を制御する。本実施形態では、図２を参照して説明した第１ウェブページＧ１が表示される。動作はステップＳ１０３に進む。
【００６６】
ステップＳ１０３において、制御部６０が、第１ウェブページ情報を記憶するように、記憶部５０を制御する。動作はステップＳ１０４に進む。
【００６７】
ステップＳ１０４において、制御部６０が、ユーザーから第２ウェブページＧ２の表示指令を受付ける。具体的には、ユーザーがニュースサーバーＳ２のＵＲＬをアドレス入力欄に入力する。動作はステップＳ１０３に進む。
【００６８】
ステップＳ１０５において、制御部６０が、第２ウェブページＧ２を表示するように、ディスプレー１１を制御する。詳しくは、制御部６０は、ニュースサーバーＳ２から第２ウェブページ情報を受信する。制御部６０は、受信した第２ウェブページ情報に基づいて、第２ウェブページＧ２を表示するように、ディスプレー１１を制御する。本実施形態では、図３を参照して説明した第２ウェブページＧ２が表示される。動作はステップＳ１０６に進む。
【００６９】
ステップＳ１０６において、制御部６０が、第２ウェブページ情報を記憶するように、記憶部５０を制御する。動作は図７に示すステップＳ１０７に進む。
【００７０】
ステップＳ１０７において、制御部６０が、第２ウェブページＧ２においてタッチセンサー１２が第１入力を受付けたか否かを判定する。具体的には、制御部６０は、タッチセンサー１２の出力（タッチ位置）に基づいて、第１ボタンＢ１（図３）がタップされたか否かを判定する。第１入力を受付けたと制御部６０が判定した場合（ステップＳ１０７のＹｅｓ）は、動作はステップＳ１０８に進む。第１入力を受付けていないと制御部６０が判定した場合（ステップＳ１０７のＮｏ）は、動作はステップＳ１１１に進む。
【００７１】
ステップＳ１０８において、第１ウェブページ情報が更新されているか否かを制御部６０が判定する。第１ウェブページ情報が更新されていると制御部６０が判定した場合（ステップＳ１０８のＹｅｓ）は、動作はステップＳ１０９に進む。第１ウェブページ情報が更新されていないと制御部６０が判定した場合（ステップＳ１０８のＮｏ）は、動作はステップＳ１１０に進む。
【００７２】
詳しくは、制御部６０は、交通情報サーバーＳ１に対し、更新時刻情報の送信を要求する。更新時刻情報は、第１ウェブページ情報が更新された時刻を示す。制御部６０は、記憶部５０の記憶している第１ウェブページ情報と、更新時刻情報とに基づいて、第１ウェブページ情報が更新されているか否かを判定する。具体的には、記憶部５０に記憶された第１ウェブページ情報の更新時刻欄Ｇ１２（図２）が示す時刻と、更新時刻情報が示す時刻とを比較して、第１ウェブページ情報が更新されているか否かを判定する。
【００７３】
ステップＳ１０９において、制御部６０は、更新後の第１ウェブページＧ３を表示するように、ディスプレー１１を制御する。本実施形態では、図４を参照して説明した第１ウェブページＧ３が表示される。
【００７４】
詳しくは、制御部６０は、交通情報サーバーＳ１から第１ウェブページ情報（更新後の第１ウェブページ情報）を受信する。制御部６０は、受信した第１ウェブページ情報に基づいて、第１ウェブページＧ３を表示するようにディスプレー１１を制御する。また、制御部６０は、受信した第１ウェブページ情報（更新後の第１ウェブページ情報）を記憶するように、記憶部５０を制御する。ディスプレー１１が更新後の第１ウェブページＧ３を表示すると、図６及び図７に示す動作は完了する。
【００７５】
ステップＳ１１０において、制御部６０は、更新前の第１ウェブページＧ４を表示するように、ディスプレー１１を制御する。本実施形態では、図５を参照して説明した第１ウェブページＧ４が表示される。
【００７６】
詳しくは、制御部６０は、交通情報サーバーＳ１から第１ウェブページ情報を受信する。制御部６０は、受信した第１ウェブページ情報に基づいて、第１ウェブページＧ４を表示するようにディスプレー１１を制御する。ディスプレー１１が更新前の第１ウェブページＧ４を表示すると、図６及び図７に示す動作は完了する。
【００７７】
ステップＳ１１１において、制御部６０が、第２ウェブページＧ２においてタッチセンサー１２が第２入力を受付けたか否かを判定する。具体的には、制御部６０は、タッチセンサー１２の出力（タッチ位置）に基づいて、第２ボタンＢ２（図３）がタップされたか否かを判定する。第２入力を受付けたと制御部６０が判定した場合（ステップＳ１１１のＹｅｓ）は、動作はステップＳ１１２に進む。第２入力を受付けていないと制御部６０が判定した場合（ステップＳ１１１のＮｏ）は、動作は図６のステップＳ１０６に戻る。
【００７８】
ステップＳ１１２において、制御部６０が、記憶部５０が記憶している第１ウェブページ情報を読み出す。記憶部５０が記憶している第１ウェブページ情報は更新前の第１ウェブページ情報と同じである。動作はステップＳ１１３に進む。
【００７９】
ステップＳ１１３において、制御部６０は、更新前の第１ウェブページＧ４を表示するように、ディスプレー１１を制御する。本実施形態では、図５を参照して説明した第１ウェブページＧ４が表示される。
【００８０】
詳しくは、制御部６０は、記憶部５０から読み出した第１ウェブページ情報に基づいて、第１ウェブページＧ４を表示するようにディスプレー１１を制御する。ディスプレー１１が更新前の第１ウェブページＧ４を表示すると、図６及び図７に示す動作は完了する。
【００８１】
なお、本実施形態では、ステップＳ１０８において、制御部６０が交通情報サーバーＳ１に対して更新時刻情報の送信を要求したが、制御部６０は、一定の時間間隔で交通情報サーバーＳ１に対し更新時刻情報の送信を要求してもよい。この場合、制御部６０は、通信部４０が更新時刻情報を受信すると、受信した更新時刻情報を記憶部５０に記憶させる。そして、ステップＳ１０８において、制御部６０は、記憶部５０の記憶している第１ウェブページ情報と、記憶部５０の記憶している更新時刻情報とに基づいて、第１ウェブページ情報が更新されているか否かを判定する。
【００８２】
また、本実施形態では、ステップＳ１１０において、制御部６０は、交通情報サーバーＳ１から第１ウェブページ情報を受信して、第１ウェブページＧ４をディスプレー１１に表示させた。この他に、制御部６０は、記憶部５０に記憶された第１ウェブページ情報に基づいて、第１ウェブページＧ４を表示するようにディスプレー１１を制御してもよい。
【００８３】
以上のように、本実施形態の画像表示装置１は、イベントが発生するたびに更新されるウェブページについて、更新前後の両方のウェブページを表示できる。詳しくは、ユーザーの操作に応じて、更新前のウェブページと更新後のウェブページとのうちの一方が表示される。そのため、ユーザーの利便性を向上できる。すなわち、ユーザーは、更新前のウェブページと更新後のウェブページとを簡単な操作で選択することができる。
【００８４】
なお、本実施形態では、入力部にタッチセンサー１２を使用し、ディスプレー１１に表示されている第１ボタンＢ１がタップされることを第１入力とし、第２ボタンＢ２がタップされることを第２入力としている。しかしながら、第１入力、及び第２入力は、第１ボタンＢ１がタップされること、及び第２ボタンＢ２がタップされることに限定されない。
【００８５】
例えば、タッチパネル１０の表示面を２つの異なる方法でフリックすることを、第１入力、及び第２入力としてもよい。具体的には、第１入力は、タッチパネル１０の表示面を第１フリックされること、及びタッチパネル１０の表示面を第２フリックされることのうちの一方であり得る。第２入力は、タッチパネル１０の表示面を第１フリックされること、及びタッチパネル１０の表示面を第２フリックされることのうちの他方であり得る。
【００８６】
第１フリックと第２フリックとはフリック速度が異なる。第１フリックされる際のフリック速度は、所定のフリック速度以上であり、第２フリックされる際のフリック速度は、所定のフリック速度よりも遅い。換言すると、第１フリックされる際のフリック速度は、第２フリックされる際のフリック速度よりも速い。フリックは、タッチパネル１０を被検出物ではじくように素早くなぞる操作である。フリック速度は、フリックの開始から終了までのタッチ位置の移動速度である。制御部６０は、タッチセンサー１２の出力に基づいて、フリック速度を取得（算出）し、取得したフリック速度が所定のフリック速度以上であるか否かを判定する。
【００８７】
また、タッチパネル１０の表示面を２つの異なる方法でスワイプすることを、第１入力、及び第２入力としてもよい。具体的には、第１入力は、タッチパネル１０の表示面を第１スワイプされること、及び第２スワイプされることのうちの一方であり得る。第２入力は、タッチパネル１０の表示面を第１スワイプされること、及び第２スワイプされることのうちの他方であり得る。
【００８８】
第１スワイプは、被検知物がタッチパネル１０の表示面に１点でタッチした状態でスワイプする操作である。第２スワイプは、被検知物がタッチパネル１０の表示面に複数の点でタッチした状態でスワイプする操作である。スワイプは、タッチパネル１０の表示面にタッチされた状態で被検出物を滑らせる操作である。制御部６０は、タッチセンサー１２の出力に基づいて、表示面に対するスワイプが第１スワイプであるか第２スワイプであるかを判定する。
【００８９】
また、画像表示装置１を２つの異なる方向に揺らすことを第１入力、及び第２入力としてもよい。具体的には、第１入力は、加速度センサー２０が第１方向に沿った加速度を検出することであり、第２入力は、加速度センサー２０が前記第１方向とは異なる第２方向に沿った加速度を検出することである。第１方向は、例えば、図２のＺ軸方向の揺れである。第２方向は、例えば、図２のＸ軸方向の揺れである。
【００９０】
また、マイクロフォン３０に入力される音声を第１入力、及び第２入力としてもよい。具体的には、第１入力は、図１を参照して説明した第１音声であり、第２入力は、図１を参照して説明した第２音声である。
【００９１】
更に、１つのアイコンに対する２つの異なるタップ方法を、第１入力、及び第２入力としてもよい。図８を参照して、１つのアイコンを用いて第１入力、及び第２入力の両方を受付ける他の実施形態の画像表示装置１について説明する。
【００９２】
図８は、他の本実施形態の画像表示装置１が第１ウェブページＧ１を表示している状態を示す図である。図８に示すように、ディスプレー１１は、第１ウェブページＧ１と、時刻欄Ｔとを表示する。図８に示す第１ウェブページＧ１は、メニューバーＧ１１の構成を除き、図２に示す第１ウェブページＧ１と同じである。他の実施形態のメニューバーＧ１１には、第１ボタンＢ１が存在しない。他の実施形態では、第２ボタンＢ２に２つの異なる方法でタップすることを、第１入力、及び第２入力とする。
【００９３】
具体的には、制御部６０は、第２ボタンＢ２がタップされた回数に応じて、タッチセンサー１２が受付けた入力が第１入力及び第２入力のいずれかであるかを判定する。より具体的には、第１入力は、第２ボタンＢ２がダブルタップされること、及び第２ボタンＢ２がシングルタップされることのうちの一方である。第２入力は、第２ボタンＢ２がダブルタップされること、及び第２ボタンＢ２がシングルタップされることのうちの他方である。
【００９４】
あるいは、制御部６０は、第２ボタンＢ２がタップされた時間に応じて、タッチセンサー１２が受付けた入力が第１入力及び第２入力のいずれかであるかを判定する。より具体的には、第１入力は、第２ボタンＢ２がロングタップされること、及び第２ボタンＢ２がショートタップされることのうちの一方である。第２入力は、第２ボタンＢ２がロングタップされること、及び第２ボタンＢ２がショートタップされることのうちの他方である。
【００９５】
ロングタップのタップ時間は、所定のタップ時間以上であり、ショートタップのタップ時間は、所定のタップ時間よりも短い。換言すると、ロングタップのタップ時間は、ショートタップのタップ時間よりも長い。タップ時間は、被検出物がタッチセンサー１２にタッチしてから、被検出物がタッチセンサー１２から離れるまでの時間である。制御部６０は、タッチセンサー１２の出力に基づいて、タップ時間を測定し、測定したタップ時間が所定のタップ時間以上であるか否かを判定する。
【００９６】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（８））。図面は、理解しやすくするために、それぞれの構成要素を主体に模式的に示しており、図示された各構成要素の長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００９７】
（１）本発明の実施形態において、制御部６０は、例えば、図８に示す第２ボタンＢ２に対する２種類の操作を第１入力、及び第２入力として受付けたが、本発明はこれに限定されない。例えば、制御部６０は、進むボタンＢ３に対する２種類の操作を第１入力、及び第２入力として受付けてもよい。
【００９８】
例えば、進むボタンＢ３がダブルタップされた場合に、制御部６０が、第２ウェブページ情報が更新されているか否かを判定してもよい。制御部６０は、第２ウェブページ情報の内容が更新されていると判定した場合、更新後の第２ウェブページ情報に基づいて第２ウェブページを表示するように、ディスプレー１１を制御する。制御部６０は、第２ウェブページ情報の内容が更新されていないと判定した場合、更新前の第２ウェブページ情報に基づいて第２ウェブページを表示するように、ディスプレー１１を制御する。また、進むボタンＢ３がシングルタップされた場合に、制御部６０は、記憶部５０に記憶された第２ウェブページ情報に基づいて第２ウェブページを表示するように、ディスプレー１１を制御する。
【００９９】
（２）本発明の実施形態において、制御部６０は、図２から図５に示す第１ボタンＢ１、及び第２ボタンＢ２をディスプレー１１に表示させて、第１入力、及び第２入力を受付けたが、本発明はこれに限定されない。第１ボタンＢ１、及び第２ボタンＢ２と同様に、制御部６０が、２種類の進むボタンをディスプレー１１に表示させて、進むボタンに対する第１入力、及び第２入力を受付けてもよい。
【０１００】
（３）本発明の実施形態において、画像表示装置１は、タブレット型コンピューターであったが、本発明はこれに限定されない。例えば、画像表示装置１は、スマートフォンでもよい。あるいは、画像表示装置１は、画像形成装置の操作部でもよい。画像表示装置１が画像形成装置の操作部である場合、画像形成装置は、更新前後のウェブページを記録媒体に画像形成できる。画像形成された記録媒体は、長期間に渡って保存でき、比較研究などに利用できる。
【０１０１】
（４）本発明の実施形態の画像表示装置１に対するウェブページの表示指令は、ユーザーがアドレス欄ＡにＵＲＬを入力することにより行われたが、本発明はこれに限定されない。例えば、予めブックマークに登録されたウェブページのなかから選択してもよく、検索エンジンによって検索した検索結果を利用してもよい。
【０１０２】
（５）本発明の実施形態の画像表示装置１は、第１ウェブページＧ１が交通情報に関するウェブページである場合について説明したが、本発明はこれに限定されない。第１ウェブページＧ１は、気象情報、駐車場情報、スポーツ情報、及びトイレの使用情報に関するウェブページであってもよい。
【０１０３】
（６）本発明の実施形態の画像表示装置１は、加速度センサー２０を備えているが、本発明はこれに限定されない。画像表示装置１は、加速度センサー２０を備えていなくてもよい。
【０１０４】
（７）本発明の実施形態の画像表示装置１は、マイクロフォン３０を備えているが、本発明はこれに限定されない。画像表示装置１は、マイクロフォン３０を備えていなくてもよい。
【０１０５】
（８）本発明の実施形態の画像表示装置１は、第１入力を受付けてから、第１ウェブページ情報が更新されているか否かを判定したが、本発明はこれに限定されない。一定の時間間隔で交通情報サーバーＳ１に対し更新時刻情報の送信を要求する場合、制御部６０は、一定の時間間隔で第１ウェブページ情報が更新されているか否かを判定してもよい。
【０１０６】
更に、この場合、制御部６０は、第１ウェブページ情報が更新されていないと判定すると、第１入力を入力の対象から外してもよい。換言すると、制御部６０は入力部が第１入力を受付けないようにする。
【０１０７】
具体的には、第１ウェブページ情報が更新されていない場合、第１ボタンＢ１をグレイアウトして、第１ボタンＢ１に対するタップを受付けないようにしてもよい。第１ボタンＢ１をグレイアウトすることは、第１ボタンＢ１を操作の対象から外すことを示す。
【産業上の利用可能性】
【０１０８】
本発明は、画像表示装置に利用可能である。
【符号の説明】
【０１０９】
１      画像表示装置
１０    タッチパネル
１１    ディスプレー
１２    タッチセンサー
２０    加速度センサー
３０    マイクロフォン
５０    記憶部
６０    制御部
【図１】
2020076799.tif 000003
【図２】
2020076799.tif 000004
【図３】
2020076799.tif 000005
【図４】
2020076799.tif 000006
【図５】
2020076799.tif 000007
【図６】
2020076799.tif 000008
【図７】
2020076799.tif 000009
【図８】
2020076799.tif 000010